【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
コンピュータによって実現されるシステムであって、
少なくとも１つのプログラムがロードされたメモリ、
少なくとも１つのプロセッサ
を含み、
前記少なくとも１つのプロセッサは、前記プログラムの制御にしたがい、
デジタルコンテンツに対する分割単位で前記デジタルコンテンツを複数の片に分割する段階、
前記デジタルコンテンツに対する利用者の要請にしたがい、前記複数の片のうちの少なくとも１つを前記利用者が保有可能な形態で提供する段階、
前記デジタルコンテンツに対し、前記利用者と、前記利用者とソーシャル関係にある少なくとも１人の他の利用者との間でそれぞれ保有する片を共有する段階
を実行する、コンピュータによって実現されるシステム。
【請求項２】
前記分割する段階は、
前記デジタルコンテンツのファイルを複数の片に分割する、請求項１に記載のコンピュータによって実現されるシステム。
【請求項３】
前記分割する段階は、
前記デジタルコンテンツに対するライセンスを複数個に分割する、請求項１に記載のコンピュータによって実現されるシステム。
【請求項４】
前記分割する段階は、
前記デジタルコンテンツを複数のレイヤに分割する、請求項１に記載のコンピュータによって実現されるシステム。
【請求項５】
前記分割する段階は、
前記デジタルコンテンツが時系列で構成されたデータである場合、前記デジタルコンテンツを複数の時間区間で分割する、請求項１に記載のコンピュータによって実現されるシステム。
【請求項６】
前記分割する段階は、
前記デジタルコンテンツが空間配列で構成されたデータである場合、前記デジタルコンテンツを複数の空間範囲で分割する、請求項１に記載のコンピュータによって実現されるシステム。
【請求項７】
前記分割する段階は、
前記デジタルコンテンツをライブラリ単位で分割する、請求項１に記載のコンピュータによって実現されるシステム。
【請求項８】
前記分割する段階は、
前記デジタルコンテンツを共有しようとする人数に関する情報を受信し、前記デジタルコンテンツを前記人数に該当する数で分割する、請求項１に記載のコンピュータによって実現されるシステム。
【請求項９】
前記共有する段階は、
前記利用者が直接購入して保有する第１コンテンツ片リストをロードする段階、
前記他の利用者が直接購入して保有する第２コンテンツ片リストを導き出す段階、
前記第１コンテンツ片リストと前記第２コンテンツ片リストを併合した第３コンテンツ片リストを導き出す段階、
前記第３コンテンツ片リストを利用して前記利用者が利用可能な第１デジタルコンテンツリストを導き出す段階
を含む、請求項１〜８のうちの何れか１項に記載のコンピュータによって実現されるシステム。
【請求項１０】
前記第２コンテンツ片リストを導き出す段階は、
前記利用者とソーシャル関係にある他の利用者リストをロードする段階、
前記他の利用者リストに属する他の利用者それぞれが直接購入して保有するコンテンツ片リストをロードする段階、
前記他の利用者リストに属する他の利用者それぞれが直接購入して保有するコンテンツ片リストを併合する段階
を含む、請求項９に記載のコンピュータによって実現されるシステム。
【請求項１１】
前記利用者が利用可能な第１デジタルコンテンツリストを導き出す段階は、
デジタルコンテンツを構成する片リスト全体が前記第３コンテンツ片リストに存在する場合、該当のデジタルコンテンツを前記利用者が利用可能なコンテンツとして提供する、請求項９又は１０に記載のコンピュータによって実現されるシステム。
【請求項１２】
前記利用者が利用可能な第１デジタルコンテンツリストを導き出す段階は、
前記利用者が少なくとも１つの片を直接保有する第２デジタルコンテンツリストを導き出す段階、
前記第２デジタルコンテンツリストに属するデジタルコンテンツそれぞれに対し、該当のデジタルコンテンツを構成する片リストを導き出す段階、
前記第２デジタルコンテンツリストに属するデジタルコンテンツのうち、デジタルコンテンツを構成する片リスト全体が前記第３コンテンツ片リストに存在するデジタルコンテンツを前記利用者が利用可能なコンテンツとして導き出す段階
を含む、請求項９又は１０に記載のコンピュータによって実現されるシステム。
【請求項１３】
前記利用者と前記他の利用者が保有する片それぞれに対し、共有可能な他人の数、共有回数、共有期間のうちの少なくとも１つの共有条件が設定される、請求項１〜１２のうちの何れか１項に記載のコンピュータによって実現されるシステム。
【請求項１４】
デジタルコンテンツ提供方法をコンピュータに実行させるコンピュータプログラムであって、
前記デジタルコンテンツ提供方法は、
デジタルコンテンツに対する分割単位で前記デジタルコンテンツを複数の片に分割する段階、
前記デジタルコンテンツに対する利用者の要請にしたがい、前記複数の片のうちの少なくとも１つを前記利用者が保有可能な形態で提供する段階、
前記デジタルコンテンツに対し、前記利用者と、前記利用者とソーシャル関係にある少なくとも１つの他の利用者との間でそれぞれ保有する片を共有する段階
を含む、コンピュータプログラム。
【請求項１５】
コンピュータによって実現される方法であって、
デジタルコンテンツに対する分割単位で前記デジタルコンテンツを複数の片に分割する段階、
前記デジタルコンテンツに対する利用者の要請にしたがい、前記複数の片のうちの少なくとも１つを前記利用者が保有可能な形態で提供する段階、
前記デジタルコンテンツに対し、前記利用者と、前記利用者とソーシャル関係にある少なくとも１人の他の利用者との間でそれぞれ保有する片を共有する段階
を含む、コンピュータで実現される方法。
【請求項１６】
前記分割する段階は、
前記デジタルコンテンツのファイルを複数の片に分割する、請求項１５に記載のコンピュータで実現される方法。
【請求項１７】
前記分割する段階は、
前記デジタルコンテンツに対するライセンスを複数個に分割する、請求項１５に記載のコンピュータで実現される方法。
【請求項１８】
前記共有する段階は、
前記利用者が直接購入して保有する第１コンテンツ片リストをロードする段階、
前記他の利用者が直接購入して保有する第２コンテンツ片リストを導き出す段階、
前記第１コンテンツ片リストと前記第２コンテンツ片リストを併合した第３コンテンツ片リストを導き出す段階、
前記第３コンテンツ片リストを利用して前記利用者が利用可能な第１デジタルコンテンツリストを導き出す段階
を含む、請求項１５〜１７のうちの何れか１項に記載のコンピュータで実現される方法。
【請求項１９】
前記第２コンテンツ片リストを導き出す段階は、
前記利用者とソーシャル関係にある他の利用者リストをロードする段階、
前記他の利用者リストに属する他の利用者それぞれが直接購入して保有するコンテンツ片リストをロードする段階、
前記他の利用者リストに属する他の利用者それぞれが直接購入して保有するコンテンツ片リストを併合する段階
を含む、請求項１８に記載のコンピュータで実現される方法。
【請求項２０】
前記利用者が利用可能な第１デジタルコンテンツリストを導き出す段階は、
前記利用者が少なくとも１つの片を直接保有する第２デジタルコンテンツリストを導き出す段階、
前記第２デジタルコンテンツリストに属するデジタルコンテンツそれぞれに対し、該当のデジタルコンテンツを構成する片リストを導き出す段階、
前記第２デジタルコンテンツリストに属するデジタルコンテンツのうち、デジタルコンテンツを構成する片リスト全体が前記第３コンテンツ片リストに存在するデジタルコンテンツを前記利用者が利用可能なコンテンツとして導き出す段階
を含む、請求項１８又は１９に記載のコンピュータで実現される方法。